(57)【要約】      （修正有）【課題】アップライトピアノでグランドピアノの有する演奏性、例えば連打性の向上、トレモロやトリルの様な速いタッチが可能となり豊かな表現力を表現できる性能を発揮できる打弦機構を提供する。【解決手段】ハンマーヘッドＨ２とハンマーシャンクＨ１を備えるアップライトピアノ用ハンマーＨにおいて、ハンマーシャンクＨ１下部にはシャンクローラーＨ３を設け、上端部にハンマーヘッドＨ２を設ける。また、アップライトピアノ用ハンマーＨにおいて、前記ハンマーシャンクＨ１に垂直に植立させたキャッチャーシャンクＨ４を設け、該キャッチャーシャンクＨ４前端部にはキャッチャーＨ５を設ける。ハンマーシャンクＨ１に回転を与える方式を工夫し、グランドピアノの打弦機構に若干の変更を加えるだけで、アップライトピアノにグランドピアノの打弦機構を搭載できる。【選択図】図１
2015014661.tif 000002
【特許請求の範囲】
【請求項１】
ハンマーヘッドとハンマーシャンクを備えて構成されるアップライトピアノ用ハンマーであって、前記ハンマーシャンク下部にはシャンクローラーを設け、上端部にハンマーヘッドを設けたことを特徴とするアップライトピアノ用ハンマー。
【請求項２】
前記アップライトピアノ用ハンマーにおいて、前記ハンマーシャンクに垂直に植立させたキャッチャーシャンクを設け、該キャッチャーシャンク前端部にはキャッチャーを設けたことを特徴とする請求項１に記載のアップライトピアノ用ハンマー。
【請求項３】
アクションと前記請求項１または２のいずれかに記載のアップライトピアノ用ハンマーを備え、前記アクションは、前端をアップライトピアノに設けた固定部にピンにより回動自在とされ、押鍵により上方に回動されるウィッペンと、該ウィッペン上に回動自在に枢支され、ハンマーシャンクを介してハンマーを押上げ回動させるレペティションレバーと、前記ウィッペンに回動自在に設けられ、前記ウィッペンの回動により前記ハンマーシャンク下端を介して前記ハンマーを回動させるジャックとを備え、前記アクション上方に前記ハンマーを前記固定部に設置したハンマーシャンクレールに回動自在に設置させると共にハンマーヘッドを弦に対向設置したことを特徴とするアップライトピアノ用打弦機構。
【請求項４】
押鍵された鍵が押鍵される前の状態に戻る際に、鍵と連動してハンマーを打弦する前の状態に戻すノックを設けたことを特徴とする請求項３に記載のアップライトピアノ用打弦機構。
【請求項５】
前記アクションと独立したダンパーを設けたことを特徴とする請求項３又は４に記載のアップライトピアノ用打弦機構。
【請求項６】
前記請求項１〜請求項５のいずれか１項に記載のハンマー及び打弦機構の少なくともいずれかを備えたことを特徴とするアップライトピアノ。
【発明の詳細な説明】
【技術分野】
【０００１】
本発明はアップライトピアノ用ハンマー及びそれを用いた打弦機構と該打弦機構を搭載したアップライトピアノに関する。
【背景技術】
【０００２】
一般にアップライトピアノに於いて、鍵の押鍵時、ウィッペン及びジャックを介して、ハンマーを上端に設けたハンマーシャンクを立設したバットの一端を突上げ回動させ、バットの回動をハンマーシャンクに伝え、垂直方向に張った弦にハンマーを横方向から当てる構成が使用されている。
【０００３】
グランドピアノに於いては、弦は水平方向に張ってあるため、鍵の打鍵によりハンマーは弦を下から叩く構成であり、ハンマーは打鍵後、自重にて弦から重力で元の位置に戻るようになっている。
しかし、弦を水平方向に張るために設置スペースを広く必要とする構造である。
そこで、弦を縦型に配置して設置面積をコンパクトにする目的でアップライトピアノが開発され、広く普及することになった。
【０００４】
しかし、アップライトピアノは、前記の如く弦を垂直方向に張りハンマーの支点を下部に置き、更にウィッペン及びジャックを介してバットを突上げハンマーを回動させ横方向から叩く構成とした結果、打弦後、鍵をもとの位置まで戻さないと次の音を打弦出来ない或いは次の音が出難い構成になっている。
【０００５】
この結果、鍵の連打の場合、次の打弦までの準備が十分に整わず困難となり、弱打弦時の２度打ちが起きたり、トレモロやトリルのような速いタッチが困難となり、グランドピアノのような指先に感じる重量やタッチの感触が微弱でグランドピアノとは乖離したものとなっている。
これは鍵を叩いて音が出るまでの過程を構成するアクションの構造上、鍵を打ってからハンマーの戻る構造上の欠点の現れであると云える。
【０００６】
そこでアップライトピアノのアクション作動に於いて、ハンマー打弦時ハンマーストップ状態から鍵を少し戻したときに、ハンマーを打弦方向に少し回動させ、ハンマーをバックチェックから開放し、ハンマーを直立させたハンマーバットとジャック間を離し、ジャックの戻りを早くさせることで連打性が向上でき、弱打弦時の２度打ち防止が出来る構成が提案されている。
【０００７】
例えば公開実用新案公報昭５７−３０７１９（特許文献１）に於いては、ハンマーバットにループを形成したスプリングワイヤーを設け、バックチャック上に延設して、キャッチャーがバックチェックに当接した後、速やかにハンマーを打弦方向に若干回動復帰させる付勢力をスプリングワイヤーにより与えるようにした構成が提案されている。
【０００８】
しかしこのアクションに於いては特開昭６−８３３２６（特許文献２）に於いて指摘されているようにスプリングワイヤーにより弱打弦時に２度打ちする可能性があり、弱打弦時にハンマーが弦を押さえてしまう可能性があった。
【０００９】
特許文献２に於いてはハンマー、バット、キャッチャー、バックチェックバットにより押鍵動作を伝達し所定点から脱出する公知のアクションであって、バットとバックチェック間にバットに対し回動自在であり、ハンマーストップ時、バックチェックの上面に当接するレペティションレバーアームを設けハンマーストップ状態解放時、バットを打弦方向に付勢する付勢力をレペティションレバーアームに使用するスプリングの作動により、ジャックの脱進と連動してレペティションレバーをバックチェック上に所定間隔を開けるだけ移動させるロッドを設けた構成が提案されている。
【００１０】
この構成によれば、ハンマーストップ状態解放時、付勢手段により付勢されるアームがバットを打弦方向に付勢させる。その結果ハンマーストップ状態から鍵をわずかに戻したとき、バットが打弦方向に回動するのでジャックは速やかにバット下端面に戻ることが出来る。又ジャックの脱進と連動して、バックチャックの上方にアームが移動する。このためバットはジャック以外から打弦方向の回動力を与えられない。従って、ハンマーが弦を強制的に押されることがなく接近調整が可能で且つ弱打弦時、弦の２度打ちがない。
【００１１】
又特開２００１−３３７６７２（特許文献３）に於いては、従来公知のアクション、即ちハンマー、ハンマーを保持させたバットとバットに設けたキャッチャー、キャッチャーを保持するチャックを有し打鍵時、打弦方向へ回動するウィッペンに取り付けられウィッペンの回動をバットに伝達し、所定点から脱進するジャックを備えたアクションであって、ハンマーストップ時、バットの下面に当接するレペティションレバーを設け、バックチャックワイヤーに設けたレペティションスプリングに係合させ、ハンマーストップ状態解放時、レペティションレバーへ付勢させる構成である。
【００１２】
この構成によればハンマーストップ状態から鍵を僅かにもどした時、ハンマーはバックチャックから解放され、レペティションスプリングの付勢力によりレペティションレバーはジャックを介してバットを押し上げジャックの戻りを早め、次の音が打鍵できる。即ち連打性の向上が図れる構成である。
【００１３】
この特許文献１、２及び３の構成は、何れもキャッチャーとバックチャックの係合を他の付勢力を用いて強制的に解放する構造であり、それらは係合を解放する付勢力の構成に差があるだけである。
これらは何れも押鍵によりウィッペンを介してジャックを突上げジャック端に接触したバットを回動させ、バットに植立したハンマーを回動させ、弦を叩く構成である点に相異はない。
【００１４】
又特開昭６３−６６５９５（特許文献４）に於いては、ハンマーシャンクに垂直方向のシャンクを設け、該シャンクを介して従来公知のグランドピアノ用アクションの作動をハンマーに伝達する、即ち直角に構成された前記ハンマーシャンクと前記シャンクにより、水平方向に張られた弦に対応したグランドピアノのアクションの機能を垂直方向に張られた弦に対応させて、グランドピアノの性能をアップライトピアノに実現しようとするものである。
【００１５】
この構成によればアップライトピアノにグランドピアノの性能を実現できるが、従来公知のグランドピアノ用のアクションをそのまま流用するため奥行きのサイズが大きく、コンパクトなアップライトピアノの筐体には納まらず、その結果筐体を拡大するとなるとアップライトピアノの特徴である場所をとらないという利点に反することになる。
【００１６】
また、音量と音色を豊かにする為に弦を長くしたアップライトの場合、最適なハンマーの打弦位置は上部に移動し、他方鍵の位置は一定のため、従来公知のグランドピアノ用アクションで打弦位置を上部に移動する場合には鍵の位置と乖離し、鍵の動きを反映しにくくなる。
【先行技術文献】
【特許文献】
【００１７】
【特許文献１】実公昭５７−３０７１９号公報
【特許文献２】特開昭６−８３３２６号公報
【特許文献３】特開２００１−３３７６７２号公報
【特許文献４】特開昭６３−６６５９５号公報
【発明の概要】
【発明が解決しようとする課題】
【００１８】
既知のグランドピアノ用のハンマーアクション機構をそのままアップライトピアノ用のハンマーアクションに流用する為には、ハンマーシャンクの直角方向にシャンクを取り付け、この直角方向に取り付けたシャンクに鍵からの力を与える構造となるため、ハンマーシャンクのしなりにハンマーシャンクの直角方向のシャンクのしなりが加わり、鍵からの力がハンマーにそのまま反映されない。
【００１９】
既知の平型ピアノ用のハンマーアクション機構をそのまま縦型ピアノ用のハンマーアクションに流用する為には、ハンマーシャンクの回動支点付近に直角方向にシャンクを取り付け、バックチェックを該シャンクの先端に取り付ける結果、バックチェックが静止した際にハンマーシャンクはフリーの状態となって確実に静止しない。
【００２０】
アップライトピアノはグランドピアノに比べて設置場所の占有面積が狭いために普及してきたのであるが、既知のグランドピアノ用のハンマーアクション機構をそのままアップライトピアノ用のハンマーアクション機構に流用すると、既知のアップライトピアノ用のハンマーアクション機構に比べて奥行きが必要となり、従来のアップライトピアノの筐体を流用できなくなり、また、筐体を広げると設置場所の占有面積の拡大を招き、コンパクトなアップライトピアノの利点を奪う結果となる。
【００２１】
弦の長さを長くすると、音色が豊かとなり、音量も大きくなるが、アップライトピアノの場合、垂直方向に弦が張られるので、弦の長さを長くすると、その分、適切な打弦位置が上方に移動するため、ハンマー打弦機構の設置位置を上方に移動する必要が生じ、一定の高さに保持される鍵から乖離する。
【課題を解決するための手段】
【００２２】
本件発明のアップライトピアノ用ハンマーは、ハンマーヘッドとハンマーシャンクを備えて構成されるアップライトピアノ用ハンマーであって、前記ハンマーシャンク下部にはシャンクローラーを設け、上端部にハンマーヘッドを設けている。
【００２３】
本件発明のアップライトピアノ用ハンマーは、上記アップライトピアノ用ハンマーにおいて、前記ハンマーシャンクに垂直に植立させたキャッチャーシャンクを設け、該キャッチャーシャンク前端部にはキャッチャーを設けている。
【００２４】
本件発明のアップライトピアノ用打弦機構は、鍵の押鍵によりハンマーを回動させ打弦するアップライトピアノ打弦機構であって、アクションと前記の何れかに記載のアップライトピアノ用ハンマーを備え、前記アクションは、前端をアップライトピアノに設けた固定部にピンにより回動自在とされ、押鍵により上方に回動されるウィッペンと、該ウィッペン上に回動自在に枢支され、ハンマーシャンクを介してハンマーを押上げ回動させるレペティションレバーと、前記ウィッペンに回動自在に設けられ、前記ウィッペンの回動により前記ハンマーシャンク下端を介して前記ハンマーを回動させるジャックとを備え、前記アクション上方に前記ハンマーを、前記固定部に設置したハンマーシャンクレールに回動自在に設置させると共にハンマーヘッドを弦に対向設置している。
【００２５】
本件発明のアップライトピアノ用打弦機構は、押鍵された鍵が押鍵される前の状態に戻る際に、鍵と連動してハンマーを打弦する前の状態に戻すノックを設けている。
【００２６】
本件発明のアップライトピアノ用打弦機構は、前記アクションと独立したダンパーを設けている。
【００２７】
本件発明のアップライトピアノは、前記アップライトピアノ用ハンマー及びそれを用いた前記打弦機構を備えている。
【発明の効果】
【００２８】
ハンマーシャンクに鍵からの力を直接与えることにより、シャンクのしなりを正常にできる。
【００２９】
バックチェックをハンマーシャンクの中途に取り付けることにより、ハンマーシャンクを直接静止することができる。
【００３０】
レペティションレバーの傾斜を大きくする結果アクションの奥行きの寸法を短くできることに加え、ジャックが直接ハンマーシャンクに作動するため、ジャックの位置が弦の方向に近づき、アクション全体の位置を弦に近づけて設置できることになり、従来の縦型ピアノの筐体に格納することが可能となり、設置面積の増大を招かない。
【００３１】
レペティションレバーとジャックの長さを調節することにより、鍵とアクションの距離の増加を修正することが可能となる。
【図面の簡単な説明】
【００３２】
【図１】本発明の一実施例離弦状態概略図
【図２】本発明の一実施例打弦状態概略図
【発明を実施するための形態】
【００３３】
以下、実施例１を示す図１により本発明のアップライトピアノ用ハンマー及びそれを用いた打弦機構を詳細に説明する。実施例１に示すアップライトピアノのアクションＸは、従来グランドピアノに於いて使用されているアクションの有する構成の大部分を有し使用する形態である。又、本発明のアップライトピアノは、以下に説明する本発明のアップライトピアノ用ハンマーを備え、その他の構成は公知のアップライトピアノと同様の構成を有している。
【００３４】
アップライトピアノ用ハンマーＨ（以下「ハンマーＨ」という）は、ハンマーシャンクＨ1とハンマーヘッドＨ２により構成される。ハンマーシャンクＨ1は、キャッチャーシャンクＨ４を備えて構成され、キャッチャーシャンクＨ４はハンマーシャンクＨ1の中途に垂直に植立して形成される。キャッチャーシャンクＨ４の先端にはキャッチャーＨ５を設置してある。
【００３５】
ハンマーシャンクＨ1の下端にはシャンクローラーＨ３が設けられている。
【００３６】
前記シャンクローラーＨ３の構成はグランドピアノに於いて通常使用される形状及び構成と同じ部材が使用できる。
【００３７】
ハンマーシャンクＨ1とキャッチャーシャンクＨ４は、アルミ、鉄等の金属、ＡＢＳ等の各種プラスチック、各種木材等適宜の材料で構成することが出来る。又、これらは、棒、管、平板等所望の形状の構成材で形成することが出来る。
【００３８】
ハンマーシャンクＨ1の構成は、シャンクローラーＨ３を下端に備え、上端にハンマーヘッドＨ２を備え、垂直に張設した弦Ｓに対し直交方向に打弦することを目的とする。
【００３９】
本発明のアップライトピアノ用ハンマーを用いた打弦機構は、ハンマーとアクションを備えて構成され、上述のようなハンマーと共に用いられるアクションの構成は、一部を除いて従来公知のグランドピアノのアクションを使用することが出来る。これらのアクションについては特開２００９−２３７１３８，特開２０１１−１５８７５７等々に、詳細に記載されている。
【００４０】
以下これらアクション及びアクションとハンマーの関係について説明する。図１は、本発明の一実施形態のアクションＸを示す。このアクションＸは、一つの鍵Ｋに対応した一個のアクションＸを示すもので、棚板Ｔ１に設けられた筬Ｔ２と鍵受けＴ３上に置かれて多数並列された鍵Ｋには夫々に対応してアクションＸが設置され、後部に上下方向に張設された複数本の各弦Ｓに夫々対応するものである。
【００４１】
図１及び図２に於いて、アップライトピアノの前部、後部は、左側が前部、右側が後部であり、奏者がこの前部に於いて鍵Ｋの前端たる左端を操作する構成である。
【００４２】
アップライトピアノは、アップライトピアノの基板となる棚板Ｔ１上に設置されたブラケット（図示せず）間に差渡し設置されるハンマーシャンクレールＲ１、該ハンマーシャンクレールＲ１に固定されたレギュレーティングレールＲ２、ウィッペンレールＲ３等の固定部を備え、各アクションＸはウィッペンレールＲ３等により固定されて設置されている。
【００４３】
更に、ピアノ両側端のブラケット間に設置されたハンマーシャンクレールＲ１上にハンマーＨ，１・・が並列設置され、各ハンマーＨ，１・・に対応して、アクションＸ，Ｘ・・がウィッペンレールＲ３上に並列設置されている。
【００４４】
又、アクションＸは鍵Ｋ毎に、該鍵Ｋに対応して設置され、その構成は、鍵Ｋ上に植立されたキャプスタンＣ１、該キャプスタンＣ１に突上げられるウィッペンＷ、ウィッペンＷに設けられたレペティションレバーＬ１及びジャックＪを有している。
【００４５】
ウィッペンＷは、その前部に於いて、ウィッペンレールＲ３に設けたウィッペンフレンジＦ２にピンＰ２により回動自在に枢支させてある。ウィッペンＷの中央底部に形成させたヒールＷ１には、被突上部Ｗ２が設けられ、キャプスタンＣ１に対峙している。ウィッペンＷの中央上部に植立したレペティションフレンジＦ３には、レペティションレバーＬ１の中央部をピンＰ３により枢支させてある。ジャックＪは、ウィッペンＷの後端にピンＰ４により枢支されている。
【００４６】
ジャックＪは略Ｌ字状に形成され、その角部を前記ピンＰ４によりウィッペンＷに枢支され、下端に当り部Ｊ１を形成し、レギュレーティングレールＲ２に設けたレギュレーティングボタンＢに対峙させ、上端に形成させた突上部Ｊ２はレペティションレバーＬ１に設けた案内孔Ｌ６に挿通自在にしてある。レギュレーティングボタンＢに当り部Ｊ１が接触する部分には、ボタンクロスＢ1が設けられている。
【００４７】
ウィッペンＷのレペティションフレンジＦ３にピンＰ３により回動自在に設けたレペティションレバーＬ１は、その前端部にレバースクリューＬ３を上下動自在に螺通し、その下端にレバーボタンＬ４を設け、ウィッペンＷへの当接部としてある。又レペティションレバーＬ１の後部端はその上部を斜状部Ｌ７に形成し、レバースキンＬ５が設けられている。該レペティションレバーＬ１の斜状部Ｌ７は、ハンマーシャンクレールＲ１に設けたハンマーシャンクフレンジＦ１下部に設けたレペティションスクリューＬ８に対応設置してある。
【００４８】
ウィッペンＷの後端にピンＰ４により回動自在に設けたジャックＪは、その中間部にジャックスクリューＪ３を上下動自在に螺通し、その下端にジャックボタンＪ４を設け、ジャックスプーンＪ５への当接部としてある。
【００４９】
ハンマーＨは、キャッチャーシャンクＨ４をレペティションレバーＬ１の上方に位置させ、ハンマーシャンクＨ1の下方部をハンマーシャンクフレンジＦ１にピンＰ１にて枢支させ回動自在としてある。
【００５０】
ハンマーシャンクＨ１は、ハンマーストップレールＲ５に設けられたハンマーストップクロスＨ６上に載置してある。この際、ハンマーシャンクローラーＨ３にレペティションレバーＬ１が接触又は接近して位置している。
【００５１】
ウィッペンＷ上に後部に向けて斜状に上がって設置されているレペティションレバーＬ１は、ウィッペンＷのピンＰ２を中心とした回動に伴う上昇により、ハンマーシャンクローラーＨ３を押し上げ、ピン１を中心とした回動をハンマーシャンクＨ１に惹起させる必要から、ハンマーシャンクＨ１とは９０度以上の角度で接し、鍵Ｋに対して45度以上の角度を確保することが望ましい。
【００５２】
又、本発明アップライトピアノ用ハンマーＨは、ハンマーシャンクＨ１の上部にハンマーヘッドＨ２を設けているので、ハンマーシャンクＨ１が直立静止した際に、ハンマーヘッドＨ２の自重により、弦に向かって自然に回転する可能性があり、この弦に向かう回転を防止する為に、キャッチャーシャンクＨ４をハンマーヘッドＨ２と均衡を保つ為に重くする必要が生じる場合には、材質を変えるとか大きさを変えるとかおもりを付ける等の処置をすることも出来る。
【００５３】
レペティションスプリングＬ２は、レペティションフレンジＦ３にその中央部を固定し、上端部はレペティションレバーＬ１下部に係架し、下端部はウィッペンＷに係架し、レペティションレバーＬ１とウィッペンＷ間の開放方向への弾性を付与していると同時に、ジャックＪの当り部Ｊ１の下部にも係架し、ジャックＪの突上部Ｊ２をシャンクローラーＨ３の下部に導く弾性を付与する。
【００５４】
チェックＣ４にはチェッククロスＣ５が設けられ、キャッチャーシャンクＨ４前端部に設けたキャッチャーＨ５と対応位置させ、キャプスタンＣ１のキャプスタンワイヤーＣ２に設けたチェックバーＣ３の前端部に設けられたノックワイヤーＮ２の中間部に設置してある。キャッチャーＨ５とチェックＣ４は、グランドピアノに設けるハンマーとキャッチャーの位置関係と同様に設置する。
【００５５】
ノックＮ１にはノックスキンＮ３が設けられ、キャッチャーシャンクＨ４前端部に設けたキャッチャーＨ５の上部に対応位置させ、キャプスタンＣ１のキャプスタンワイヤーＣ２に設けたチェックバーＣ３の前端部に設けられたノックワイヤーＮ２の上端部に設置してある。キャッチャーＨ５とノックＮ１は、ハンマーシャンクＨ1の回動時には接触しない位置関係を保つ。
【００５６】
ノックＮ１は、キャプスタンワイヤーＣ２とチェックバーＣ３とノックワイヤーＮ２を介して鍵Ｋと直結していて、鍵Ｋと同時に作動する。鍵Ｋを押下後、鍵Ｋが押下前の位置に戻る直前にハンマーＨが打弦直後の位置を保持し、打弦前の静止位置に戻るのが遅れている場合のみ、ノックＮ１に設けられたノックスキンＮ３がキャッチャーＨ５の上部に接触し、鍵Ｋの戻る動きを利用してキャッチャーＨ５を下方に叩き落とすことにより、ハンマーＨを打弦前の静止位置に迅速に戻す作用をする。
【００５７】
ノックＮ１の作動により、従来のアップライトピアノのハンマーの戻りを促進させるスプリングや紐等の利用を排除することができ、かつ、鍵の静止位置への戻りと同時にハンマーを静止位置に戻すことが可能になり、グランドピアノの打弦機構と同一の連打を可能にするとともに、演奏者が指先に感じるスプリング等の違和感を排除し、グランドピアノと同一の感触を実現する。
【００５８】
ダンパー装置Ｄは、各弦Ｓの夫々に対応設置させてある。ダンパー装置ＤはダンパーレバーＤ１、ダンパーワイヤーＤ２、ダンパーヘッドＤ３により構成され、前出のブラケット（図示せず）に差渡し設置したダンパーレールＲ４に固定したダンパーフレンジＦ４下端にダンパーレバーＤ１を枢支ピンＰ５で回動自在に枢支し、鍵Ｋの後端に設けた突上げ部Ｄ５にダンパーレバーＤ１後端に設けた被突上部D６を対応して設置してある。
ダンパーヘッドＤ３にはダンパーフェルトD４が設けられ、ダンパー装置Ｄの自重によりダンパーフェルトD４が弦Ｓに接触して圧力を与え、弦Ｓの振動を停止する。
【００５９】
鍵Ｋを押下すると突上げ部Ｄ５がダンパーレバーＤ１を押し上げ、ダンパーワイヤーＤ２を介してダンパーヘッドＤ３に設けられたダンパーフェルトD４が弦Ｓから離れ、ハンマーヘッドＨ２の打弦による弦Ｓの振動（発音）を可能にする。
【００６０】
上記構成の本発明一実施態様の作動について説明する。図１に示される離鍵状態に於いて、演奏者の打鍵により鍵Ｋが押されると、キャプスタンＣ１の上昇により被突上部Ｗ２を介して、ウィッペンＷがピンＰ２を中心として回動する。このウィッペンＷの回動により、同時にウィッペンＷに枢支したレペティションレバーＬ１及びジャックＪも回動する。
【００６１】
次いで、レペティションレバーＬ１の上昇に伴い、シャンクローラーＨ３の弦側の側面を押上げ、これにより、ハンマーシャンクＨ1の下方がピンＰ１を中心として図１矢印Ｚ方向に回動する。
更にウィッペンＷの回動によりジャックＪの突上部Ｊ２がシャンクローラーＨ３を突上げる。この突上げはレペティションレバーＬ１の案内孔Ｌ６から突上部Ｊ２が上方に突出し、シャンクローラーＨ３を突上げ、この突上げによりハンマーＨはピンＰ１を中心として図１矢印Ｙ方向に回動する。
【００６２】
演奏者の押鍵によりジャックＪがシャンクローラーＨ３を突上げると、ジャックＪの当り部Ｊ１がレギュレーティングボタンＢに当たり、ウィッペン６に対して、ピンＰ４を中心としてジャックＪは回動され、その突上部Ｊ２はシャンクローラーＨ３から外れる。
【００６３】
ハンマーＨは惰性で、アクションＸ及び鍵Ｋとは離れる方向に回動し、ハンマーヘッドＨ２が弦Ｓに当たり音を発生する。又、同時にこの演奏者の押鍵により、鍵Ｋの後端に設けた突上部Ｄ５が上昇し、ダンパーフレンジＦ４に枢支したダンパーレバーD１の後端を押上げ、ダンパーレバーD１は枢支ピンＰ５を中心として回動する。この回動の結果、ダンパーワイヤーＤ２を介して、ダンパーヘッドD３は回動して弦Ｓを離れ、弦Ｓを自由とさせて、ハンマーヘッドＨ２が弦Ｓを打つ前に楽音の発生可能な状態としている。
【００６４】
その後、押鍵が終わり、鍵Ｋが自由に解放されると鍵Ｋの後端が下がる。キャプスタンＣ１は下降する。又、同時にウィッペンＷ、レペティションレバーＬ１及びハンマーＨ等の荷重により、更にはレペティションスプリングＬ２の付勢力によりレペティションレバーＬ１それに付随してジャックＪが元の位置に戻る。
【００６５】
押鍵が終わると、キャッチャーシャンクＨ４に設けたキャッチャーＨ５がチェックＣ４に当り、ハンマーシャンクＨ1が静止する。ハンマーシャンクＨ1が静止する結果、押鍵と無関係な２度打ちを防止できる。又、同時にレペティションレバーＬ１は、レペティションスプリングＬ２の力で押戻され、その結果、ジャックＪの突上部Ｊ２がシャンクローラーＨ３の下に戻る。更にこの押鍵の終了時、鍵Ｋを全て戻さないで、次の打鍵が出来、次の打鍵によりジャックＪの突上部Ｊ２がシャンクローラーＨ３を突上げることが出来る。
【００６６】
これらの動作により鍵Ｋが完全に元の位置に戻らずとも、次の打鍵を行なうことが出来、高速な運指に対応でき、連打性能の飛躍的な向上が為しうる。この一連の動作により回動し、往復したハンマーＨは、その前端に設けたキャッチャーＨ５がチェックＣ４に係合し、安定する。
【００６７】
ダンパーヘッドD３が回動復帰し、弦Ｓに接続するのは鍵Ｋが完全に元の位置に戻った時であるが、他方、鍵Ｋが完全に元の位置に戻る直前にハンマーＨの戻りが遅れている場合には、鍵Ｋと直結して作動するノックＮ１がキャッチャーＨ５に接触し、ハンマーＨの戻りを促し、鍵Ｋが完全に元の位置に戻るのと同時にハンマーＨを完全に元の位置に戻し、高速の連打に対応できるようになる。
【００６８】
又、ジャックＪによりシャンクローラーＨ３を介してハンマーＨが突上げられ回動する際に、ジャックＪがシャンクローラーＨ３から外れる時のアフタータッチ或いはレットオフ感が得られることもグランドピアノと同じである。従って本発明によればグランドピアノと同じ演奏感を得ることが出来る。
【産業上の利用可能性】
【００６９】
本発明によれば、その構成的には、従来のグランドピアノのアクション部に若干の変更を加えて使用でき、ハンマー部の構成を替えてアップライトピアノとすることが出来るため、従来のアップライトピアノの筐体をそのまま利用出来、極めて量産性に富み経済的に優れたアップライトピアノを提供することが出来る。
【００７０】
又、アップライトピアノの利点たる弦を垂直方向に張設することにより狭い形状に構成し、狭い場所にも設置することが出来る点はそのまま有し乍ら、グランドピアノの有する演奏性、例えば連打性の向上、トレモロやトリルの様な速いタッチが可能となり豊かな表現力を表現できる性能を発揮できる。これにより、これまで限定されたいたグランドピアノの演奏性能をアップライトピアノに於いて一般社会により広く普及させ、ピアノ人口の更なる普及拡大による、ピアノの製造拡大に貢献できる。
【符号の説明】
【００７１】
Ｘ    アクション
Ｓ    弦
Ｋ    鍵
Ｔ１  棚板
Ｔ２  筬
Ｔ３  鍵受け
Ｒ１  ハンマーシャンクレール
Ｒ２  レギュレーティングレール
Ｒ３  ウィッペンレール
Ｒ４  ダンパーレール
Ｒ５  ハンマーストップレール
Ｈ    ハンマー
Ｈ１  ハンマーシャンク
Ｈ４  キャッチャーシャンク
Ｈ２  ハンマーヘッド
Ｈ３  シャンクローラー
Ｈ５  キャッチャー
Ｈ６  ハンマーストップクロス
Ｆ１  ハンマーシャンクフレンジ
Ｐ１  ピン
Ｂ    レギュレーティングボタン
Ｂ１  ボタンクロス
Ｃ１  キャプスタン
Ｃ２  キャプスタンワイヤー
Ｃ３  チェックバー
Ｃ４  チェック
Ｃ５  チェッククロス
Ｗ    ウィッペン
Ｗ１  ヒール
Ｗ２  被突上部
Ｆ２  ウィッペンフレンジ
Ｐ２  ピン
Ｆ３  レペティションフレンジ
Ｐ３  ピン
Ｐ４  ピン
Ｌ１  レペティションレバー
Ｌ２  レペティションスプリング
Ｌ３  レバースクリュー
Ｌ４  レバーボタン
Ｌ５  レバースキン
Ｌ６  案内孔
Ｌ７  斜状部
Ｌ８  レペティションスクリュー
Ｊ    ジャック
Ｊ１  当り部
Ｊ２  突上部
Ｊ３  ジャックスクリュー
Ｊ４  ジャックボタン
Ｊ５  ジャックスプーン
Ｄ    ダンパー装置
Ｄ１  ダンパーレバー
Ｄ２  ダンパーワイヤー
Ｄ３  ダンパーヘッド
Ｄ４  ダンパーフェルト
Ｄ５  突上部
Ｄ６  被突上部
Ｆ４  ダンパーフレンジ
Ｐ５  枢支ピン
Ｎ１  ノック
Ｎ２  ノックワイヤー
Ｎ３  ノックスキン
【図１】
2015014661.tif 000003
【図２】
2015014661.tif 000004